(57)【要約】    【課題】  解像度を低下させることなくブラックマトリクスを目立たなくすることができるプロジェクタを提供する。    【解決手段】  照明装置１０Ａと、照明装置１０Ａからの照明光を画像情報に応じて変調する電気光学変調装置２０Ａと、電気光学変調装置２０Ａにより変調された光を投写する投写光学装置３０とを備えたプロジェクタにおいて、  投写光学装置３０はタンデム系を構成する前群及び後群のレンズ群３２，３４と、前群及び後群のレンズ群３２，３４の間に配置され所定の空間周波数を遮断する遮光部材３６とを有し、遮光部材３６は前群のレンズ群３２の投写方向側の焦点位置に配置され、電気光学変調装置２０Ａは前群のレンズ群３２の照明装置１０Ａ側の焦点位置に配置されてなることを特徴とするプロジェクタ。【選択図】  図１
2005115070.tif 000002
【特許請求の範囲】
【請求項１】
照明装置と、この照明装置からの照明光を画像情報に応じて変調する電気光学変調装置と、この電気光学変調装置により変調された光を投写する投写光学装置とを備えたプロジェクタにおいて、
前記投写光学装置は、タンデム系を構成する前群及び後群のレンズ群と、これら前群及び後群のレンズ群の間に配置され所定の空間周波数を遮断する遮光部材とを有し、
前記遮光部材は、前群のレンズ群の投写方向側の焦点位置に配置され、
前記電気光学変調装置は、前群のレンズ群の前記照明装置側の焦点位置に配置されてなることを特徴とするプロジェクタ。
【請求項２】
請求項１に記載のプロジェクタにおいて、
前記電気光学変調装置は、マトリクス状に形成された遮光体からなるブラックマトリクスを有する液晶表示装置であり、
前記所定の空間周波数は、前記遮光体の幅に相当する周波数に一致することを特徴とするプロジェクタ。
【請求項３】
請求項１に記載のプロジェクタにおいて、
前記電気光学変調装置は、多数のマイクロミラーの各々について照明光の反射角度を画像情報に応じて変化させることにより画像光を生成する表示装置であり、
前記所定の空間周波数は、前記表示装置の各マイクロミラー間に形成される隙間に相当する周波数に一致することを特徴とするプロジェクタ。
【請求項４】
請求項１〜３のいずれかに記載のプロジェクタにおいて、
前記遮光部材は、リング状の遮光帯を有することを特徴とするプロジェクタ。
【請求項５】
請求項１〜４のいずれかに記載のプロジェクタにおいて、
前記遮光部材は、脱着可能であることを特徴とするプロジェクタ。
【請求項６】
請求項１〜５のいずれかに記載のプロジェクタに用いられる投写光学装置であって、
タンデム系を構成する前群及び後群のレンズ群と、これら前群及び後群のレンズ群の間に配置され所定の空間周波数を遮断する遮光部材とを有し、
前記遮光部材は、前記前群のレンズ群の投写方向側の焦点位置に配置されてなることを特徴とする投写光学装置。
【発明の詳細な説明】
【技術分野】
【０００１】
本発明は、プロジェクタ及びこれに用いる投写光学装置に関する。
【背景技術】
【０００２】
一般に、プロジェクタは、照明光を射出する照明装置と、この照明装置からの照明光を画像情報に応じて変調する電気光学変調装置と、この電気光学変調装置からの変調光を投写画像として投写表示する投写光学装置とを備えている。
【０００３】
近年、このようなプロジェクタにおいては、電気光学変調装置としてＴＦＴアクティブマトリクス型の液晶表示装置を用いるものが広く使用されている。このＴＦＴアクティブマトリクス型の液晶表示装置の画像表示面には、画素間の光漏れ及びＴＦＴの保護のために、マトリクス状の遮光体からなるブラックマトリクスが形成されている。従って、このＴＦＴアクティブマトリクス型の液晶表示装置からの画像光がスクリーン上に投写される際には、このブラックマトリクスの影が生成してしまうことになる（例えば、特許文献１参照。）。
【０００４】
また、近年、電気光学変調装置として、多数のマイクロミラーの各々について照明光の反射角度を画像情報に応じて変化させることにより画像光を生成する表示装置を用いるものも使用されるようになってきている（例えば、特許文献２参照。）。このような表示装置においては、各マイクロミラーが互いに干渉しあうことなく反射角度を変化できるようにするために各マイクロミラー間には所定の隙間が必要となる。従って、このような表示装置からの画像光がスクリーン上に投写される際には、この隙間に相当する影が生成してしまうことになる。
【０００５】
これらのブラックマトリクスの影やマイクロミラー間の隙間に相当する影（以下この明細書中では「ブラックマトリクス等の影」という。）は、プロジェクタの画面サイズが大きくなるに従って、またプロジェクタの高解像度化が進んで開口率が小さくなるに従って、さらにはプロジェクタのコントラストが高まるに従って、よく目立つようになる。また、ブラックマトリクス等の影は、パソコン画面のような画像を投写する場合と比較して映画のような画像を投写する場合には、よく目立つようになる。このため、ブラックマトリクス等の影の目立たないプロジェクタが今後益々必要とされるようになる。
【０００６】
ブラックマトリクス等の影を目立たなくする簡単な方法としては、投写光学装置のフォーカスをブラックマトリクス等の影が目立たなくなるようにデフォーカスして投写することが考えられるが、このような方法によれば、投写画像の鮮鋭度が低下してぼけた印象となってしまうとともに、デフォーカスを均一に行って画面全体に渡ってブラックマトリクス等の影を目立たなくなるようにすることは困難であるという問題があった。
【０００７】
そこで、特許文献１はこのような問題を解決するためのプロジェクタを開示している。図５は、特許文献１に開示されたプロジェクタの光学系を示す図である。このプロジェクタ９００は、照明装置９１０と、この照明装置９１０からの光を画像情報に応じて変調するドットマトリクス型の液晶表示装置９０５と、この液晶表示装置９０５により変調された光を投写する投写光学装置９０８とを備えたプロジェクタにおいて、液晶表示装置９０５と投写光学装置９０８との間の液晶表示装置側に配置されたλ／４板９０６と、投写光学装置側に配置された複屈折性光学素子９０７とをさらに備えた点を特徴としている。
【０００８】
このため、このプロジェクタ９００によれば、λ／４板９０６の光学的作用で、円偏光光又は楕円偏光光とされて複屈折性光学素子９０７に向かう光は、複屈折性光学素子９０７により常光線と異常光線に分岐され、投写光学装置９０８を介してスクリーンに投写される。これにより、異常光線は常光線より垂直方向、水平方向又は斜め方向にずれた位置、すなわち、常光線の投射位置から所定の方向にずれた位置に投写されることになる。その結果、常光線によるブラックマトリクスの像上に異常光線が投写されることとなるため、ブラックマトリクスの影が目立たなくなり、投写画像の印象が格段に良くなるという効果が得られる（例えば、特許文献１参照。）。
【０００９】
【特許文献１】特開平１１−１６７１０５号公報（図１〜図３）
【特許文献２】特開平８−１４６９１１号公報（図４）
【発明の開示】
【発明が解決しようとする課題】
【００１０】
しかしながら、このようなプロジェクタにおいては、投写光を異常光と常光とに分離してこれらを所定方向にずらしてスクリーン上に投写するようにしているため、スクリーン上に投写される画像の解像度が低下するという問題があった。
【００１１】
そこで、本発明は、このような問題を解決するためになされたもので、解像度を低下させることなくブラックマトリクス等の影を目立たなくすることができるプロジェクタを提供することを目的とする。また、このようなプロジェクタに用いる投写光学装置を提供することを目的とする。
【課題を解決するための手段】
【００１２】
本発明者は、上述した目的を達成すべく鋭意努力を重ねた結果、投写光学装置の中に所定の空間周波数を遮断する遮光部材を配置することにより、解像度を低下させずにブラックマトリクス等の影を目立たなくすることができることを見出し、本発明を完成させるに至った。
【００１３】
（１）本発明のプロジェクタは、照明装置と、この照明装置からの照明光を画像情報に応じて変調する電気光学変調装置と、この電気光学変調装置により変調された光を投写する投写光学装置とを備えたプロジェクタにおいて、
前記投写光学装置は、タンデム系を構成する前群及び後群のレンズ群と、これら前群及び後群のレンズ群の間に配置され所定の空間周波数を遮断する遮光部材とを有し、
前記遮光部材は、前群のレンズ群の投写方向側の焦点位置に配置され、
前記電気光学変調装置は、前群のレンズ群の前記照明装置側の焦点位置に配置されてなることを特徴とする。
【００１４】
このため、本発明のプロジェクタによれば、ブラックマトリクス等の影を目立たなくするための手段として、投写光学装置中に所定の空間周波数を遮断する遮光部材を配置する手段を用いることとしたため、電気光学変調装置からの画像光がスクリーン上でずれて表示されるようなことがなくなるため、解像度を低下させることがなくなる。
【００１５】
すなわち、本発明のプロジェクタによれば、電気光学変調装置からの変調光を投写光学装置の前群のレンズ群によって一旦平行光にした後、前群のレンズ群の焦点位置に配置された遮光部材によって所定の空間周波数の光成分を遮断し、その成分の遮断された光を第２群のレンズ群によって拡大投写することにより、電気光学変調装置の所定パターン以外の画像に影響を与えることなく、所定パターンの模様のみを選択的に消すことができるようになる。従って、遮光部材として、ブラックマトリクス等の模様に相当する空間周波数に一致する空間周波数を遮断する遮光部材を用いることにより、スクリーン上でブラックマトリクス等の影を目立たなくすることができるようになるのである。
【００１６】
このため、本発明のプロジェクタは、解像度を低下させることなくブラックマトリクス等の影を目立たなくすることができるプロジェクタとなる。
【００１７】
なお、本発明のプロジェクタにおいては、前群のレンズ群と後群のレンズ群とがタンデム系を構成しているため、これら前群のレンズ群と後群のレンズ群との間の距離を任意に設定できるため、上記した遮光部材をこれらの間に配置するのも比較的容易である。
【００１８】
（２）上記（１）に記載のプロジェクタにおいては、前記電気光学変調装置は、マトリクス状に形成された遮光体からなるブラックマトリクスを有する液晶表示装置であり、前記所定の空間周波数は、前記遮光体の幅に相当する周波数に一致することが好ましい。
このように構成することにより、ブラックマトリクスを有する液晶表示装置におけるブラックマトリクスの影を効果的に目立たなくすることができるようになる。
この場合、ブラックマトリクスの縦方向の幅と横方向の幅が異なる場合には、遮光部材が、これら２つの幅に相当する２つの周波数に一致する２つの空間周波数を遮断することができる遮光部材であることが好ましい。
【００１９】
ブラックマトリクスを有する液晶表示装置としては、ＴＦＴアクティブマトリクス型液晶表示装置を好ましく用いることができるが、本発明においてはこれに限られず、ＴＦＴ以外のアクティブ素子を有する液晶表示装置やアクティブ素子を有しない液晶表示装置を用いることもできる。
また、ブラックマトリクスを有する液晶表示装置としては、透過型の液晶表示装置のみならず反射型の液晶表示装置についても好適に用いることができる。
【００２０】
（３）上記（１）に記載のプロジェクタにおいては、前記電気光学変調装置は、多数のマイクロミラーの各々について照明光の反射角度を画像情報に応じて変化させることにより画像光を生成する表示装置であり、前記所定の空間周波数は、前記表示装置の各マイクロミラー間に形成される隙間に相当する周波数に一致することが好ましい。
このように構成することにより、このようなマイクロミラーを用いた表示装置におけるマイクロミラー間の隙間に相当する影を効果的に目立たなくすることができるようになる。
この場合、マイクロミラー間の縦方向の隙間と横方向の隙間とが異なる幅を有する場合には、遮光部材が、これら２つの幅に相当する２つの周波数に一致する２つの空間周波数を遮断することができる遮光部材であることが好ましい。
【００２１】
（４）上記（１）〜（３）のいずれかに記載のプロジェクタにおいては、前記遮光部材は、リング状の遮光帯を有することが好ましい。
このように構成することにより、簡単な構成でブラックマトリクス等の影を目立たなくすることができる。
この場合、ブラックマトリクス等の幅をｄ（μｍ）とし、設計波長をλ（μｍ）としたときに「ｄ・ｓｉｎθ＝１×λ」の条件を満足する角度をθ１とすると、電気光学変調装置から射出する光線のうち照明光軸とθ１の角度をなす光線が前群のレンズ群で屈折されて遮光部材上にリング状の帯を形成することになるが、このリング状の帯に対応して（具体的にはリング状の帯を遮光するように）リング状の遮光帯を形成することが好ましい。
なお、これに加えて、「ｄ・ｓｉｎθ＝２，３，４，・・・×λ」の条件を満足する角度をθ２，θ３，θ４，・・・とすると、電気光学変調装置から射出する光線のうち照明光軸とθ２の角度をなす光線により構成されるリング状の帯に対応してリング状の遮光帯を形成することもできる。さらには、照明光軸とθ３，θ４，・・・の角度をなす光線により構成される複数本のリング状の帯に対応して前記リング状の遮光帯を形成することもできる。
【００２２】
リング状の遮光帯の幅は、リング状の帯を所定のマージンをもって遮光できるように決めることが好ましい。所定のマージンが小さいと各種光学要素のばらつきによってブラックマトリクス等の影を十分に目立たなくすることができなくなることもある。所定のマージンが大きいと遮光する光量が大きくなってスクリーン上に投写される画像の明るさが低下する。
【００２３】
（５）上記（１）〜（４）のいずれかに記載のプロジェクタにおいては、前記遮光部材は、脱着可能であることが好ましい。
本発明のプロジェクタにおいては、遮光部材が所定の空間周波数を遮断するため、スクリーン上に投写される画像の明るさが若干低下する。このため、パソコン画面のような画像を投写する場合のように、プロジェクタをブラックマトリクス等の影があってもよいような用途に使用する場合には、遮光部材を光路から取り除くことにより画像の明るさの低下を防止することができる。
【００２４】
（６）本発明の投写光学装置は、上記（１）〜（５）のいずれかに記載のプロジェクタに用いられる投写光学装置であって、タンデム系を構成する前群及び後群のレンズ群と、これら前群及び後群のレンズ群の間に配置され所定の空間周波数を遮断する遮光部材とを有し、前記遮光部材は、前記前群のレンズ群の投写方向側の焦点位置に配置されてなることを特徴とする。
【００２５】
このため、本発明の投写光学装置をプロジェクタに用いることによって、上記のように
解像度を低下させることなくブラックマトリクス等の影を目立たなくすることができるプロジェクタを構成することができるようになる。
【発明を実施するための最良の形態】
【００２６】
以下、本発明が適用されたプロジェクタ及びこれに用いる投写光学装置について、図に示す実施の形態に基づいて説明する。
【００２７】
［実施形態１］
まず、本発明の実施形態１について、図１及び図２を用いて説明する。
図１は、本発明の実施形態１に係るプロジェクタを説明するための図である。図１（ａ）はプロジェクタの光学系を示す図であり、図１（ｂ）はプロジェクタに含まれる電気光学変調装置の要部を示す図である。図２は、本発明の実施形態１に係る投写光学装置を説明するための図である。図２（ａ）は投写光学装置に含まれる遮光部材を示す図であり、図２（ｂ）はプロジェクタに含まれる電気光学変調装置と前群のレンズ群と遮光部材との関係を示す図である。
【００２８】
本発明のプロジェクタ１Ａは、図１（ａ）に示すように、照明装置１０Ａと、照明装置１０Ａからの照明光を画像信号に応じて変調する電気光学変調装置２０Ａと、電気光学変調装置２０Ａにより変調された光を投写する投写光学装置３０とを備えている。
【００２９】
照明装置１０Ａは、図示しない発光管、リフレクタ、インテグレータ光学系などを有し、電気光学変調装置２０Ａの画像形成領域全体に均一に照明光を照射する機能を有している。
電気光学変調装置２０Ａは、照明装置１０Ａからの照明光を画像情報に応じて変調する機能を有している。電気光学変調装置２０Ａは、図１（ｂ）に示すように、ＴＦＴアクティブマトリクス型の液晶表示装置からなる。そして、画像形成領域全体に渡って、画素２２及び画素２２を囲むマトリクス状の遮光体からなるブラックマトリクス２４が形成されている。
投写光学装置３０は、電気光学変調装置２０Ａにより変調された光をスクリーンなどの投写面状に投写する機能を有している。
【００３０】
実施形態１に係るプロジェクタ１Ａは、投写光学装置３０の構成に特徴がある。すなわち、投写光学装置３０は、図１（ａ）に示すように、タンデム系を構成する前群及び後群のレンズ群３２，３４と、これら前群及び後群のレンズ群３２，３４の間に配置され所定の空間周波数を遮断する遮光部材３６とを有している。そして、遮光部材３６は前群のレンズ群３２の投写方向側の焦点位置に配置され、電気光学変調装置２０Ａは前群のレンズ群３２の照明装置側の焦点位置に配置されている。
【００３１】
このため、実施形態１に係るプロジェクタ１Ａによれば、ブラックマトリクス２４の影を目立たなくするための手段として、投写光学装置３０中に所定の空間周波数を遮断する遮光部材３６を配置する手段を用いることとしたため、電気光学変調装置２０Ａからの画像光がスクリーン上でずれて表示されるようなことがなくなるため、従来のプロジェクタ９００の場合のように解像度を低下させることがなくなる。
【００３２】
すなわち、実施形態１に係るプロジェクタ１Ａによれば、電気光学変調装置２０Ａからの変調光を投写光学装置３０の前群のレンズ群３２によって一旦平行光にした後、前群のレンズ群３２の焦点位置に配置された遮光部材３６によって所定の空間周波数の光成分を遮断し、その成分の遮断された光を後群のレンズ群３４によって拡大投写することにより、電気光学変調装置２０Ａの所定パターン以外の画像に影響を与えることなく、所定パターンの模様のみを選択的に消すことができるようになる。従って、遮光部材３６として、ブラックマトリクス２４の幅ｄ１，ｄ２に相当する空間周波数に一致する空間周波数を遮断する遮光部材３６を用いることにより、スクリーンＳＣＲ上でブラックマトリクス２４の影を目立たなくすることができるようになるのである。
【００３３】
このため、実施形態１に係るプロジェクタ１Ａは、解像度を低下させることなくブラックマトリクス等の影を目立たなくすることができるプロジェクタとなる。
【００３４】
なお、ブラックマトリクス２４の縦方向の幅ｄ１と横方向の幅ｄ２が異なる場合には、遮光部材３６として、これら２つの幅ｄ１，ｄ２に相当する２つの周波数に一致する２つの空間周波数を遮断することができる遮光部材を好適に用いることができる。
【００３５】
実施形態１に係るプロジェクタ１Ａにおいては、遮光部材３６として、図２（ａ）に示すように、リング状の遮光帯３８を有するものを用いている。このリング状の遮光帯３８は、ブラックマトリクスの幅をｄ（μｍ）とし、設計波長をλ（μｍ）としたときに「ｄ・ｓｉｎθ＝１×λ」の条件を満足する角度をθ１とすると、電気光学変調装置２０Ａから射出する光線のうち照明光軸１０Ａａｘとθ１の角度をなす光線Ｌ１が前群のレンズ群３２で屈折されて遮光部材３６上にリング状の帯を形成することになるが、このリング状の帯に対応してリング状の遮光帯３８が形成されている。なお、ブラックマトリクスｄの幅を２μｍ、設計波長を０．５５μｍとした場合には、θ１は１６°となる。
【００３６】
なお、遮光部材３６としては、これに加えて、「ｄ・ｓｉｎθ＝２，３，４，・・・×λ」の条件を満足する角度をそれぞれθ２，θ３，θ４，・・・とすると、電気光学変調装置２０Ａから射出する光線のうち照明光軸１０Ａａｘとθ２の角度をなす光線により構成されるリング状の帯に対応するように形成されたリング状の遮光体を有するものを用いることもできる。さらには、照明光軸１０Ａａｘとθ３，θ４，・・・の角度をなす光線により構成される複数本のリング状の帯に対応するように形成されたリング状の遮光帯を有するものを用いることもできる。
【００３７】
リング状の遮光帯３８の幅は、リング状の帯の所定のマージンをもって遮光できるように決定する。この所定のマージンが小さいと各種光学要素のばらつきによってブラックマトリクス２４の影を十分に目立たなくすることができなくなることがある。所定のマージンが大きいと遮光する光量が大きくなってスクリーン上に投写される画像の明るさが低下する。
【００３８】
実施形態１に係るプロジェクタ１Ａにおいては、遮光部材３６は脱着可能である。このため、パソコン画面のような画像を投写する場合のように、プロジェクタをブラックマトリクスの影があってもよいような用途に使用する場合には、遮光部材３６を光路から取り除くことができ、これにより画像の明るさの低下を防止することができるという効果も得られる。
【００３９】
［実施形態２］
次に、本発明の実施形態２について、図３を用いて説明する。
図３は、本発明の実施形態２に係るプロジェクタの光学系を示す図である。
実施形態２に係るプロジェクタ１Ｂは、電気光学変調装置としての３枚のＴＦＴアクティブマトリクス型液晶表示装置２０Ｂｒ，２０Ｂｇ，２０Ｂｂで変調された画像光を合成して投写光学装置３０で投写する点で実施形態１に係るプロジェクタ１Ａと異なっている。
従って、実施形態２に係るプロジェクタ１Ｂにおいては、３種類のブラックマトリクス２４が合成されてスクリーン上に投写されることになるが、通常３枚のＴＦＴアクティブマトリクス型の液晶表示装置２０Ｂｒ，２０Ｂｇ，２０Ｂｂにおける画素２２はスクリーン上で精密に位置合わせがなされているため、３種類のブラックマトリクス２４もちょうど重なるように配置されることになる。
【００４０】
このため、実施形態２に係るプロジェクタ１Ｂにおいても、実施形態１に係るプロジェクタ１Ａの場合と同様に、何も対策をしないと、ＴＦＴアクティブマトリクス型の液晶表示装置２０Ｂｒ，２０Ｂｇ，２０Ｂｂからの画像光がスクリーン上に投写される際には、このブラックマトリクス２４の影が生成してしまうことになる。
【００４１】
しかしながら、実施形態２に係るプロジェクタ１Ｂにおいても、実施形態１に係るプロジェクタ１Ａの場合と同様に、投写光学装置３０は、タンデム系を構成する前群及び後群のレンズ群３２，３４と、これら前群及び後群のレンズ群３２，３４の間に配置され所定の空間周波数を遮断する遮光部材３６とを有し、遮光部材３６は前群のレンズ群３２の投写方向側の焦点位置に配置され、電気光学変調装置２０Ｂは前群のレンズ群３２の照明装置側の焦点位置に配置されている。
このため、実施形態２に係るプロジェクタ１Ｂによれば、実施形態１に係るプロジェクタ１Ａの場合と同様に、従来のプロジェクタ９００の場合のように解像度を低下させることがなくなる。
【００４２】
なお、実施形態２に係るプロジェクタ１Ｂにおいては、電気光学変調装置２０Ｂと前群のレンズ群３２との間に、クロスダイクロイックプリズム５００が配置されている。しかしながら、電気光学変調装置２０Ｂはクロスダイクロイックプリズム５００の屈折率を考慮したうえで前群のレンズ群３２の照明装置側の焦点位置に配置されている。すなわち、電気光学変調装置２０Ｂと前群のレンズ群３２との間の光学的距離が前群のレンズ群３２の焦点距離に等しく設定されている。このため、実施形態１に係るプロジェクタ１Ａの場合と同様の効果が得られる。
【００４３】
［実施形態３］
次に、本発明の実施形態３について、図４を用いて説明する。
図４は、本発明の実施形態３に係るプロジェクタを説明するための図である。図４（ａ）は光学系を示す図であり、図４（ｂ）は電気光学変調装置としてのマイクロミラーを用いた表示装置の要部拡大図である。
実施形態３に係るプロジェクタ１Ｃは、図４（ｂ）に示すように、マイクロミラー２６を用いた表示装置を電気光学変調装置２０Ｃとして用いた点で実施形態１に係るプロジェクタ１Ａと異なるが、実施形態１に係るプロジェクタ１Ａや実施形態２に係るプロジェクタ１Ｂの場合と同様に、何も対策をしないと、スクリーン上に各マイクロミラー２６間の隙間に相当する影が生成する。
【００４４】
しかしながら、実施形態３に係るプロジェクタ１Ｃにおいても、実施形態１に係るプロジェクタ１Ａや実施形態２に係るプロジェクタ１Ｂの場合と同様に、投写光学装置３０は、タンデム系を構成する前群及び後群のレンズ群３２，３４と、これら前群及び後群のレンズ群３２，３４の間に配置され所定の空間周波数を遮断する遮光部材３６とを有し、遮光部材３６は前群のレンズ群３２の投写方向側の焦点位置に配置され、電気光学変調装置２０Ｃは前群のレンズ群３２の照明装置１０Ｃ側の焦点位置に配置されている。
このため、実施形態３に係るプロジェクタ１Ｃによれば、実施形態１に係るプロジェクタ１Ａや実施形態２に係るプロジェクタ１Ｂの場合と同様に、従来のプロジェクタ９００の場合のように解像度を低下させることがなくなる。
【００４５】
なお、実施形態３に係るプロジェクタ１Ｃにおいて、マイクロミラー２６間の縦方向の隙間の幅ｄ３と横方向の隙間の幅ｄ４とが異なる幅を有する場合には、遮光部材として、これら２つの幅ｄ３，ｄ４に相当する２つの周波数に一致する２つの空間周波数を遮断することができる遮光部材を好適に用いることもできる。
【００４６】
また、実施形態３に係るプロジェクタ１Ｃにおいては、電気光学変調装置２０Ｃと前群のレンズ群３２との間に、偏光ビームスピリッター５２０が配置されているが、電気光学変調装置２０Ｃは偏光ビームスピリッター５２０の屈折率を考慮したうえで前群のレンズ群３２の照明装置１０Ｃ側の焦点位置に配置されている。すなわち、電気光学変調装置２０Ｃと前群のレンズ群３２との間の光学的距離が前群のレンズ群３２の焦点距離に等しく設定されている。このため、実施形態１に係るプロジェクタ１Ａの場合と同様の効果が得られる。
【００４７】
以上詳述したように、本発明のプロジェクタは、ブラックマトリクス等の影を目立たなくするための手段として、投写光学装置中に所定の空間周波数を遮断する遮光部材を配置する手段を用いることとしたため、電気光学変調装置からの画像光がスクリーン上でずれて表示されるようなことがなくなるため、解像度を低下させることがなくなる。
【図面の簡単な説明】
【００４８】
【図１】実施形態１に係るプロジェクタを説明するための図。
【図２】実施形態１に係る投写光学装置を説明するための図。
【図３】実施形態２に係るプロジェクタの光学系を示す図。
【図４】実施形態３に係るプロジェクタを説明するための図。
【図５】従来のプロジェクタの光学系を示す図。
【符号の説明】
【００４９】
１Ａ，１Ｂ，１Ｃ，９００…プロジェクタ、１０Ａ，１０Ｂ，１０Ｃ，９１０…照明装置、２０Ａ，２０Ｂｒ，２０Ｂｇ，２０Ｂｒ，２０Ｃ…電気光学変調装置、２２…画素、２４…ブラックマトリクス、２６…マイクロミラー、３０…投写光学装置、３２…前群のレンズ群、３４…後群のレンズ群、３６…遮光部材、３８…リング状の遮光帯、１１０…光源ランプ、１０Ａａｘ，１０Ｂａｘ，１０Ｃａｘ…照明光軸、１１２…発光管、１１３…補助ミラー、１１４…楕円面リフレクタ、１１６…平行化レンズ、１２０…第１レンズアレイ、１３０…第２レンズアレイ、１４０…偏光変換素子、１５０…重畳レンズ、１６０Ｃ，１７０Ｃ…レンズ、１８０Ｃ…導光ミラー、１９０…モーター、１９２…回転カラーフィルター、２００…色分離光学系、３００…リレー光学系、５００…クロスダイクロイックプリズム、５２０…偏光ビームスピリッター、Ｌ１…光線
【図１】
2005115070.tif 000003
【図２】
2005115070.tif 000004
【図３】
2005115070.tif 000005
【図４】
2005115070.tif 000006
【図５】
2005115070.tif 000007